(57)【要約】【課題】正当な利用者が使用する全ての外部記憶媒体に個人情報等を登録した利用者本人のみが、当該外部記憶媒体を携帯電話機本体から取り外すことができるセキュリティ機能を備えた携帯電話機を提供する。【解決手段】正当な利用者が使用する全ての外部記憶媒体を本体に着脱自在に備えた携帯電話機において、当該利用者を識別する暗証番号を記憶した第一記憶手段と、外部記憶媒体を携帯電話機から取り外す際に入力された暗証番号と第一記憶手段に記憶された番号とを比較する第一比較手段と、当該利用者を特定する生体識別情報が記憶された第二記憶手段と、外部記憶媒体を携帯電話機から取り外す際に入力された生体識別情報と第二記憶手段に記憶された情報とを比較する第二比較手段と、第一及び第二比較手段における少なくとも一方の比較結果が一致しないときに、外部記憶媒体の取り外しを禁止する取外し禁止手段とを設ける。【選択図】図９
2008312070.tif 000002
【特許請求の範囲】
【請求項１】
加入者情報及びこれに関連する個人情報が記憶されたメモリカードを電話機本体に着脱自在に備えた携帯電話機において、
前記メモリカードを認識・識別する所定の暗証番号を記憶した第一の記憶手段と、
前記メモリカードを携帯電話機本体から取り外す際に、該携帯電話機本体に設けられた操作部から入力された暗証番号と前記第一の記憶手段に記憶された暗証番号とを比較する第一の比較手段と、
前記第一の比較手段における比較結果が一致しないときに、該携帯電話機本体からの前記メモリカードの取り外し機構を鎖錠してその取り外しを禁止する取外し禁止手段と、を含むことを特徴とする携帯電話機。
【請求項２】
加入者情報及びこれに関連する個人情報が記憶されたメモリカードを電話機本体に着脱自在に備えた携帯電話機において、
前記メモリカードに記憶された加入者情報及びこれに関連する個人情報によって特定される個人の生体識別情報が記憶された第二の記憶手段と、
前記メモリカードを携帯電話機本体から取り外す際に、該携帯電話機本体に設けられた生体識別情報読み取り部から入力された生体識別情報と前記第二の記憶手段に記憶された生体識別情報とを比較する第二の比較手段と、
前記第二の比較手段における比較結果が一致しないときに、該携帯電話機本体からの前記メモリカードの取り外し機構を鎖錠してその取り外しを禁止する取外し禁止手段と、を含むことを特徴とする携帯電話機。
【請求項３】
加入者情報及びこれに関連する個人情報が記憶されたメモリカードを電話機本体に着脱自在に備えた携帯電話機において、
前記メモリカードを認識・識別する所定の暗証番号を記憶した第一の記憶手段と、
前記メモリカードを携帯電話機本体から取り外す際に、該携帯電話機本体に設けられた操作部から入力された暗証番号と前記第一の記憶手段に記憶された暗証番号とを比較する第一の比較手段と、
前記メモリカードに記憶された加入者情報及びこれに関連する個人情報によって特定される個人の生体識別情報が記憶された第二の記憶手段と、
前記メモリカードを携帯電話機本体から取り外す際に、該携帯電話機本体に設けられた生体識別情報読み取り部から入力された生体識別情報と前記第二の記憶手段に記憶された生体識別情報とを比較する第二の比較手段と、
前記第一及び第二の比較手段における少なくとも一方の比較結果が一致しないときに、該携帯電話機本体からの前記メモリカードの取り外し機構を鎖錠してその取り外しを禁止する取外し禁止手段と、を含むことを特徴とする携帯電話機。
【請求項４】
前記第一若しくは第二の比較手段における比較結果を用いて前記取外し禁止手段におけるメモリカード取り外し機構の鎖錠を行うか、或いは、前記取外し禁止手段におけるメモリカード取り外し機構の鎖錠を行う際に、前記第一若しくは第二の比較手段における比較結果の何れか一方を用いるか又はその双方を用いるかについては、該携帯電話機の利用者が任意に設定できることを特徴とする請求項１乃至３の何れか１項に記載の携帯電話機。
【請求項５】
前記第一若しくは第二の比較手段における比較結果が一致しないにも関わらず、前記取外し禁止手段の取外し鎖錠機構が強制的に解除された場合に、前記メモリカードの機能を破壊するカード破壊手段をさらに備えたことを特徴とする請求項１乃至３の何れか１項に記載の携帯電話機。
【請求項６】
前記カード破壊手段は、前記メモリカードを機械的若しくは電気的に破壊する機能、或いは前記メモリカードに搭載されたプログラム若しくはデータをソフトウェア的に破壊する機能を備えたことを特徴とする請求項５に記載の携帯電話機。
【請求項７】
前記取外し禁止手段における取外し鎖錠機構は、前記メモリカード全体を拘持して、携帯電話機の外部から当該メモリカードへの接触を完全に遮断できる構造であることを特徴とする請求項１乃至３の何れか１項に記載の携帯電話機。
【請求項８】
前記メモリカードの携帯電話機からの着脱履歴を記録する着脱履歴記録手段をさらに含むことを特徴とするに請求項１乃至３の何れか１項に記載の携帯電話機。
【請求項９】
前記メモリカードには、加入者情報及びこれに関連する個人情報以外の他の情報データを記録したメモリカードが含まれることを特徴とする請求項１乃至３の何れか１項に記載の携帯電話機。
【発明の詳細な説明】
【技術分野】
【０００１】
本発明は携帯電話機に関するものであり、より詳細には、いわゆるＵＩＭカードのような加入者情報等が記憶されたメモリカードを、電話機の本体から着脱自在に備えた携帯電話機に関するものである。
【背景技術】
【０００２】
近年における携帯電話の普及は目覚しいものがあり、携帯電話の加入者数は従来からの固定電話の加入者数を凌駕して今後もさらに増加する状況にある。これに応じて、携帯電話機に付加される各種のオプション機能も各段の進歩を遂げ、ユーザが携帯電話機を使用する上での利便性は著しく向上している。
【０００３】
特に、いわゆる第三世代以降の携帯電話機においては、電話番号や加入者ＩＤ等の加入者の個人情報が記録されたＩＣメモリカード（以下、単に「メモリカード」と称する）を備えた機種が広く普及しつつある（特許文献１乃至３を参照）。このメモリカードは、一般に、ＳＩＭ（Ｓｕｂｓｃｒｉｂｅｒ  Ｉｄｅｎｔｉｔｙ  Ｍｏｄｕｌｅ）カード、ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）カード、或いはＵＩＭ（Ｕｓｅｒ  Ｉｄｅｎｔｉｔｙ  Ｍｏｄｕｌｅ）カードなどと称されている。
【０００４】
これらのメモリカードには、その携帯電話機の電話番号や加入者ＩＤ、或いは課金情報など、その携帯電話機を使用するユーザの個人情報が記録されており、カード自体は携帯電話機の本体から着脱自在な構造となっている。したがって、携帯電話機のユーザは、通常使用している携帯電話機からこのメモリカードのみを取り外し、それを他の携帯電話機に装着することによって、当該他の携帯電話機を常時使用している携帯電話機と同様に使用することができるのである。
【０００５】
すなわち、これらのメモリカードを使うことによって、加入者ＩＤなどのユーザの個人情報が手軽に移設可能となり、例えば、旅行先などで通常と異なる携帯電話機を使用する場合であっても、利用者の同一性を常に確保することができることになる。特に、ＵＩＭカードやＵＳＩＭカードの場合は、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）方式の携帯電話機に用いられていたＳＩＭカードの機能をベースに拡張・発展されたものであり世界の共通規格に対応している。これによって、海外でもＵＩＭカードやＵＳＩＭカードを差し替えることにより、通常契約している通信事業者と異なる海外の通信事業者の提供するサービスを受けることができる国際ローミングサービスの利用が可能となる。
【特許文献１】特開２００６−１１５５３１号公報
【特許文献２】特開２００４−３２８３７２号公報
【特許文献３】特開２００２−３００２５４号公報
【発明の開示】
【発明が解決しようとする課題】
【０００６】
メモリカードには上述したような利便性がある反面、メモリカードが正当なユーザ以外の第三者の手に渡った場合に極めて重大な問題が生ずる。すなわち、メモリカードを不正に取得した第三者は、そのメモリカードのユーザになりすまして任意の携帯電話機を自由に使用できることになってしまう。また、メモリカードには、そのユーザの個人情報が多数記録されているので、第三者が何らかの手段を用いてこれらの情報を解読した場合、メモリカードのユーザに重大な損害を及ぼすおそれがある。
【０００７】
このような危惧から、これらのメモリカードは、一般に携帯電話機の本体から取り外しが難しい位置に装着されている。例えば、携帯電話機内のバッテリーパックの下などに装着されており、携帯電話機の裏蓋を開け一旦バッテリーパックを退かさなければ、メモリカードの着脱が行えない構造となっている機種もある。したがって、ＵＩＭカードなどのメモリカードの場合は、例えば、コンテンツデータ等の記憶に用いられていた従来のＳＤカードなどのように、携帯電話機本体からの着脱がワンタッチで容易に行える構造にはなっていない。
【０００８】
しかしながら、かかるメモリカードの携帯電話機への着脱構造或いは着脱方法は、メモリカードを携帯電話機本体に装着或いは取り外す際のユーザの利便性を考慮すれば、その構造或いは方法を徒に複雑化させることは難しい。また、たとえ、このような着脱構造や着脱方法の複雑化を図っても、最初からメモリカードの不正取得を目論んでいる害意のある第三者に対しては、決定的な効果のある対策と成り得ないことは明らかである。
【０００９】
本発明は、上述した従来の課題を解決することを目的とするものであって、より具体的には、メモリカードに加入者ＩＤなどの個人情報を登録したユーザ本人のみが、当該メモリカードを携帯電話機本体から取り外すことができるセキュリティ機能を備えた携帯電話機を提供することを目的とする。
【課題を解決するための手段】
【００１０】
本発明の第１の観点による携帯電話機は、前述の目的を達成するため、加入者情報及びこれに関連する個人情報が記憶されたメモリカードを電話機本体に着脱自在に備えた携帯電話機において、前記メモリカードを認識・識別する所定の暗証番号を記憶した第一の記憶手段と、前記メモリカードを携帯電話機本体から取り外す際に、該携帯電話機本体に設けられた操作部から入力された暗証番号と前記第一の記憶手段に記憶された暗証番号とを比較する第一の比較手段と、前記第一の比較手段における比較結果が一致しないときに、該携帯電話機本体からの前記メモリカードの取り外し機構を鎖錠してその取り外しを禁止する取外し禁止手段とを含む構成を有している。
【００１１】
このような構成によれば、暗証番号を記憶している正当なユーザ以外の第三者は、携帯電話機からメモリカードを取り外すことが不可能となるので、ＵＩＭやＵＳＩＭなどのメモリカードを電話機本体に着脱自在に備えた携帯電話機のセキュリティ機能を大幅に向上させることができる。
【００１２】
また、本発明の第２の観点による携帯電話機は、前述の目的を達成するため、加入者情報及びこれに関連する個人情報が記憶されたメモリカードを電話機本体に着脱自在に備えた携帯電話機において、前記メモリカードに記憶された加入者情報及びこれに関連する個人情報によって特定される個人の生体識別情報が記憶された第二の記憶手段と、前記メモリカードを携帯電話機本体から取り外す際に、該携帯電話機本体に設けられた生体識別情報読み取り部から入力された生体識別情報と前記第二の記憶手段に記憶された生体識別情報とを比較する第二の比較手段と、前記第二の比較手段における比較結果が一致しないときに、該携帯電話機本体からの前記メモリカードの取り外し機構を鎖錠してその取り外しを禁止する取外し禁止手段とを含む構成を有している。
【００１３】
このような構成によれば、例えば、正当なユーザがメモリカード取り外しの際の暗証番号を過失や錯誤によって第三者に漏洩してしまった場合でも、メモリカード取り外しの際には、予め登録された当該ユーザの生体情報（例えば、指紋、虹彩、声紋等）が必要とされるので、正当なユーザ以外の第三者によるメモリカードの取り外しを防止することができる。
【００１４】
また、本発明の第３の観点による携帯電話機は、前述の目的を達成するため、加入者情報及びこれに関連する個人情報が記憶されたメモリカードを電話機本体に着脱自在に備えた携帯電話機において、前記メモリカードを認識・識別する所定の暗証番号を記憶した第一の記憶手段と、前記メモリカードを携帯電話機本体から取り外す際に、該携帯電話機本体に設けられた操作部から入力された暗証番号と前記第一の記憶手段に記憶された暗証番号とを比較する第一の比較手段と、前記メモリカードに記憶された加入者情報及びこれに関連する個人情報によって特定される個人の生体識別情報が記憶された第二の記憶手段と、前記メモリカードを携帯電話機本体から取り外す際に、該携帯電話機本体に設けられた生体識別情報読み取り部から入力された生体識別情報と前記第二の記憶手段に記憶された生体識別情報とを比較する第二の比較手段と、前記第一及び第二の比較手段における少なくとも一方の比較結果が一致しないときに、該携帯電話機本体からの前記メモリカードの取り外し機構を鎖錠してその取り外しを禁止する取外し禁止手段とを含む構成となっている。
【００１５】
このような構成によれば、上記の暗証番号によるセキュリティ保全と、生体識別情報によるセキュリティ保全と、を組み合わせたセキュリティ・ガードシステムが構築できるので、ＵＩＭやＵＳＩＭなどのメモリカードを電話機本体に着脱自在に備えた携帯電話機のセキュリティ機能をさらに向上させることが可能となる。
【００１６】
また、本発明の第４の観点による携帯電話機は、上記第１乃至第３の何れか１つの観点において、前記第一若しくは第二の比較手段における比較結果を用いて前記取外し禁止手段におけるメモリカード取り外し機構の鎖錠を行うか、或いは、前記取外し禁止手段におけるメモリカード取り外し機構の鎖錠を行う際に、前記第一若しくは第二の比較手段における比較結果の何れか一方を用いるか又はその双方を用いるかについては、該携帯電話機の利用者が任意に設定できる構成となっている。
【００１７】
このような構成によれば、携帯電話の利用者が、上記の暗証番号によるセキュリティ保全システム、若しくは生体識別情報によるセキュリティ保全システムを用いるか、或いは、両者を組み合わせたセキュリティ保全システムにおいて、暗証番号のみを用いたセキュリティレベル、生体識別情報のみを用いたセキュリティレベル、又はその双方を用いたセキュリティレベルを自在に選択することができるので、携帯電話機のセキュリティ機能を利用する際の利便性を向上させることができる。
【００１８】
また、本発明の第５の観点による携帯電話機は、上記第１乃至第３の何れか１つの観点において、前記第一若しくは第二の比較手段における比較結果が一致しないにも関わらず、前記取外し禁止手段の取外し鎖錠機構が強制的に解除された場合に、前記メモリカードの機能を破壊するカード破壊手段をさらに含む構成を有している。
【００１９】
このような構成によれば、暗証番号や正当ユーザの生体情報を入手不可能な第三者が、メモリカードの取り外し取外し禁止手段に含まれる取外し鎖錠機構を、例えば、携帯電話機を分解する等の方法によって強制的に解除した場合でも、メモリカードの機能が破壊されるため、たとえメモリカードを取り外すことが出来たとしてもこれを再利用することはできない。
【００２０】
また、本発明の第６の観点による携帯電話機は、上記第５の観点において、前記カード破壊手段は、前記メモリカードを機械的若しくは電気的に破壊する機能、或いは前記メモリカードに搭載されたプログラム若しくはデータをソフトウェア的に破壊する機能を備えた構成となっている。
【００２１】
このような構成によれば、暗証番号や正当ユーザの生体情報を入手不可能な第三者が、携帯電話機を分解してメモリカードを取り外しても、メモリカードが機械的若しくは電気的に破壊され、或いは当該メモリカードに搭載されたプログラム若しくはデータがソフトフェア的に破壊されるため、第三者は、不正取得したメモリカードが使用することができない。また、当該メモリカードに記録された個人情報を解読することも不可能となる。
【００２２】
また、本発明の第７の観点による携帯電話機は、上記第１乃至第３の何れか１つの観点において、前記取外し禁止手段における取外し鎖錠機構は、前記メモリカード全体を拘持して、携帯電話機の外部から当該メモリカードへの接触を完全に遮断できる構造であることを特徴とする構成となっている。
【００２３】
このような構成によれば、メモリカードは携帯電話機の内部に完全に取り込まれた構造となり、直接にメモリカードに手を触れることができないため、メモリカードに対するセキュリティ機能が向上する。
【００２４】
また、本発明の第８の観点による携帯電話機は、上記第１乃至第３の何れか１つの観点において、前記メモリカードの携帯電話機からの着脱履歴を記録する着脱履歴記録手段をさらに含む構成となっている。
【００２５】
このような構成によれば、ユーザは、携帯電話機本体からのメモリカードの着脱履歴を常に把握することができるので、メモリカードに対するセキュリティ機能を高めることができる。
【００２６】
また、本発明の第９の観点による携帯電話機は、上記第１乃至第３の何れか１つの観点において、前記メモリカードには加入者情報及びこれに関連する個人情報以外の他の情報データを記録したメモリカードが含まれる構成となっている。
【００２７】
したがって、このような構成によれば、ＵＩＭカードやＵＳＩＭカード以外の、例えば、インターネットから配信されるコンテンツデータや、電話帳データ等が記録された一般のＳＤカードなども本発明の対象となり、これらのメモリカードに対するセキュリティ機能を高めることができる。
【発明の効果】
【００２８】
本発明によれば、ＵＩＭカードやＵＳＩＭカードのような加入者情報等を記憶したメモリカード、或いはＳＤカードのようなコンテンツ情報等を記録したメモリカードを電話機本体から着脱自在に備えた携帯電話機において、正当なユーザ以外の第三者が携帯電話機の本体から、これらのメモリカードを取り外す事態を効果的に防止することができる。これによって、害意のある第三者によるメモリカードの抜き取りを防ぐことが可能となり、第三者によるメモリカードの不正使用や、正当なユーザの個人情報等の漏洩を未然に防止することができる。
【発明を実施するための最良の形態】
【００２９】
以下に、本発明を実施するための最良の形態である複数の実施形態について、それぞれの添付図面を参照しつつ説明を行う。
【実施例１】
【００３０】
先ず、本発明の一つの実施形態である携帯電話機の実施例１について、図１のブロック図に基づいてその構成を説明する。
同図において、第１記憶手段１１は、携帯電話機１の正当なユーザが予め定めた特定の暗証番号が記憶されている不揮発性のメモリ回路である。第１比較手段１２は、携帯電話機１に備えられた操作部１３のテンキーから入力された暗証番号と、第１記憶手段１１に記憶されている暗証番号とを比較して、その比較結果を後述の取外し禁止手段１４に通知する比較回路である。
【００３１】
取外し禁止手段１４は、その内部にメモリカードの取外し鎖錠機構１４ａを内蔵しており、携帯電話機１の本体からメモリカードの１５の取り外しを許容・禁止する機構部分である。なお、メモリカードの１５は、例えば、ビデオデッキに取り込まれたビデオカセットのように、取外し禁止手段１４の内部にある取外し鎖錠機構１４ａによってロックされ、取外し禁止手段１４の内側に密閉されて拘持される構造となっている。
【００３２】
すなわち、一旦、メモリカード１５を取外し携帯電話機１の本体内に収納すると、たとえ携帯電話機１のカバーや裏蓋などを外した状態にしても、メモリカード１５を直接に視認することはできず、さらには、メモリカード１５に直接に触れることが出来ない機械的構造となっている。
【００３３】
なお、携帯電話機１には、以上に説明を行った構成要素の他にも、例えば、携帯電話機の送受話部、無線送受信部、及び表示部等の各種の構成部位が含まれていることは言うまでもない。しかしながら、これらの各構成要素は、本発明の実施と直接的な関係がないためその説明を省略する。
【００３４】
次に、本実施例１による携帯電話機の動作について、図２に示すフローチャートに基づいて説明を行う。なお、同図に示される処理動作のフローチャートは、携帯電話機１に内蔵された制御用のマイクロプロセッサ（図示せず）のソフトウェア処理によって実行されるものとする。
【００３５】
携帯電話機１のユーザが携帯電話機の本体からメモリカード１５を取り外す場合、先ずユーザは、携帯電話機１の操作部１３から予め定めていた暗証番号を入力する。この暗証番号はユーザが任意に設定し得るものであり、予めユーザが操作部１３を操作して第１記憶手段のメモリ内に設定・記憶したものと仮定する。因みに、このような暗証番号は、例えば、５桁から１０桁程度の数字及びアルファベットの組合せでも良いし、或いは、仮名文字等を含んだ文字列を含むようなものであっても良い。
【００３６】
操作部１３から暗証番号入力が為されると、携帯電話機１のマイクロプロセッサは、図２のステップＳ２０１において入力された暗証番号を読み取り、これを第１比較手段１２に通知する。これと同時にマイクロプロセッサは、第１記憶手段に記憶されている所定の暗証番号を第１比較手段１２に転送する。
【００３７】
次のステップＳ２０２において、第１比較手段１２によって、操作部１３から入力された暗証番号と予め記憶されていた暗証番号との比較が為され、その結果、両者が一致した場合（ステップＳ２０３の「ＹＥＳ」）はステップＳ２０４に移行する。一方、両者が一致しない場合（ステップＳ２０３の「ＮＯ」）はステップＳ２０５に移行する。
【００３８】
ステップＳ２０４に移行した場合、マイクロプロセッサは、メモリカード１５を内蔵・拘持している取外し禁止手段１４における取外し鎖錠機構１４ａの鎖錠機構を解除して、携帯電話機１の本体からメモリカード１５の取り外しが可能な状態とする。具体的には、例えば、取外し鎖錠機構１４ａに備えられた電動蓋を開いて、取外し鎖錠機構１４ａ内部のエジェクタによってメモリカード１５を浮き上がらせるようにしても良いし、或いは、携帯電話機１の側面から、携帯電話機１の内部に設けられた電動スライド機構によってメモリカード１５がスライドされて押し出されてくるような構造にしても良い。
【００３９】
一方、ステップＳ２０５に移行した場合、マイクロプロセッサは、メモリカード１５を拘持している取外し鎖錠機構１４ａの鎖錠機構をロックしてメモリカード１５の取り外しができない状態とする。この際に、ユーザ以外の第三者によってメモリカード１５の不正な取り外しが目論まれたことを警告すべく、例えば、警告音や光点滅警報等のアラームを携帯電話機１の本体から出力するようにしても良い。
【００４０】
なお、現実には、正当なユーザによる暗証番号の誤入力もあり得るので、ステップＳ２０３における暗証番号の不一致が初回に検出された場合は、例えば、携帯電話機１の表示部のディスプレイパネル上に「暗証番号が間違っています。ご確認のうえ再入力して下さい。」等の警告を表示するに止め、暗証番号の不一致が複数回以上連続して発生した場合にのみ、上記の外部アラーム出力を行うようにしても良い。
また、以上に説明したメモリカードのセキュリティ管理機構は、必要に応じてユーザが解除可能であり、かかるセキュリティ機能を実施することなく、携帯電話機の本体からメモリカードの着脱が普通に行える構成としても良い。
【００４１】
以上に説明したように、本実施例１による携帯電話機は、操作部１３から入力された暗証番号と、携帯電話機内部の第１記憶手段１１に予め設定されている暗証番号とが一致しない限り、メモリカードを携帯電話機の本体から取り外す事が出来ないので、携帯電話機の正当なユーザ以外の第三者によるメモリカードの抜き取りを未然に防止することができる。
【実施例２】
【００４２】
次に、本発明の他の実施形態である実施例２について説明を行う。なお、本実施例２による携帯電話機は、前述した実施例１による携帯電話機とその基本的な構造を同一とするため、実施例１の場合と同じ構成要素に関しては、前述の図１と同一の符号を付することによってその説明を省略する。
【００４３】
先ず、本実施例２による携帯電話機２の構成を図３に示すブロック図に基づいて説明する。同図において、第２記憶手段１６は、携帯電話機２の正当なユーザに関する各種の生体識別情報を予め記憶させた不揮発性のメモリ回路である。ここで、生体識別情報とは、例えば、人間の手指の指紋や、音声の声紋、或いは眼球の虹彩のように特定の個々人を的確に識別することができる生体に関する情報を表すものである。
【００４４】
これらの生体識別情報は、予め、携帯電話機２のユーザ自身によって、第２記憶手段１６のメモリ内に記憶させておくものと仮定する。例えば、指紋は携帯電話機２の筐体に設けられた指紋センサーを用いて採取することが可能であり、声紋は携帯電話機２の送話用のマイクロフォンを用いて所定長さの音声パターンをサンプリングすることによって記録することができる。また、眼球の虹彩に関しては、同じく携帯電話機２に設けられた撮像用のＣＣＤカメラを用いて撮影することが可能である。
【００４５】
これらの各種センサー類によって収集されたユーザ自身の個体識別情報は、所定のデータ圧縮処理やデータフォーマットの変換処理が施された後、第２記憶手段１６の不揮発性メモリ回路に記憶される。なお、これらの各種センサー類からの生体識別情報の収集、並びに各種データ処理を担う部分の機能を総称して、生体識別情報読取り部１８と名付けるものとする。
【００４６】
第２比較手段１７は、上記の生体識別情報読取り部１８から取り込んだ各種の生体識別情報と、第２記憶手段１６に記憶されているユーザ固有の生体識別情報とを比較して、その比較結果を取外し禁止手段１４に通知する比較回路である。
【００４７】
次に、本実施例２による携帯電話機の動作について、図４に示すフローチャートに基づいて説明を行う。なお、同図に示される処理動作のフローチャートは、携帯電話機２に内蔵された制御用のマイクロプロセッサ（図示せず）のソフトウェア処理によって実行されるものとする。
【００４８】
携帯電話機２のユーザが携帯電話機の本体からメモリカード１５を取り外す場合、先ず、ユーザは、自分の指紋や声紋、或いは眼球の虹彩を携帯電話機２に入力する。これらの動作は、例えば、生体識別情報の入力を示唆するキー操作やコマンド設定を行った後に、ユーザが、携帯電話機２の筐体に設けられた指紋センサーに指を押し当てるようにしても良いし、携帯電話機２の送話マイクロフォンに向かって、一定長以上の文言を喋るようにしても良い。或いは、携帯電話機２に備わったＣＣＤカメラを自分の目に向けて、自己の虹彩パターンを読み取らせるようにしても良い。
【００４９】
これらの生体識別情報は、その全てを用いる必要は無く、その内の何れか一つのみを用いるようにしても良いし、或いは二つ以上の任意の生体識別情報を組み合わせて用いるようにしても良い。なお、使用する生体識別情報の数や種類は、例えば、携帯電話機２における初期設定処理において、携帯電話機２のユーザが自在に設定・変更を行えるものとする。また、本実施例２の事例は、あくまでも本発明の一つの実施形態を示すものに過ぎず、かかる生体識別情報の比較検討処理において、上記に示した生体識別情報以外の他の生体識別情報を利用する実施の態様を排除するものではない。
【００５０】
生体識別情報読取り部１８から生体識別情報の入力が為されると、携帯電話機２のマイクロプロセッサは、図４のステップＳ４０１において入力された生体識別情報を読み取り、これを第２比較手段１７に通知する。これと同時にマイクロプロセッサは、第２記憶手段１６に記憶されている所定の生体識別情報を第２比較手段１７に転送する。
【００５１】
次のステップＳ４０２では、第２比較手段１７によって、生体識別情報読取り部１８から入力された生体識別情報と予め記憶されていた生体識別情報との比較が為され、その結果、両者が一致した場合（ステップＳ４０３の「ＹＥＳ」）はステップＳ４０４に移行する。一方、両者が一致しなかった場合（ステップＳ４０３の「ＮＯ」）はステップＳ４０５に移行する。
【００５２】
図４に示されるフローチャートのステップＳ４０４に移行した場合、マイクロプロセッサは、メモリカード１５を内蔵・拘持している取外し禁止手段１４における取外し鎖錠機構１４ａの鎖錠機構を解除して、携帯電話機２の本体からメモリカード１５の取り外しが可能な状態とする。具体的には、例えば、取外し鎖錠機構１４ａに備えられた電動蓋を開いて、取外し鎖錠機構１４ａ内部のエジェクタによってメモリカード１５を浮き上がらせるようにしても良いし、或いは、携帯電話機２の側面から、携帯電話機２の内部に設けられた電動スライド機構によってメモリカード１５がスライドされて押し出されてくるような構造にしても良い。
【００５３】
一方、ステップＳ４０５に移行した場合、マイクロプロセッサは、メモリカード１５を拘持している取外し鎖錠機構１４ａの鎖錠機構をロックしてメモリカード１５の取り外しができない状態とする。この際に、ユーザ以外の第三者によってメモリカード１５の不正な取り外しが目論まれたことを警告すべく、例えば、警告音や光点滅警報等のアラームを携帯電話機２の本体から出力するようにしても良い。
【００５４】
なお、現実には、生体識別情報の入力が行われる各種センサー類の誤認識や、誤作動も十分に考えられるので、ステップＳ４０３における生体識別情報の不一致が初回に検出された場合は、例えば、携帯電話機２の表示部のディスプレイパネル上に「生体識別情報が正確に入力されていないので再入力して下さい。」等の警告を表示するに止め、生体識別情報の不一致が複数回以上連続して発生した場合にのみ、上記の外部アラーム出力を行うようにしても良い。
また、以上に説明したメモリカードのセキュリティ管理機構は、必要に応じてユーザが解除可能であり、かかるセキュリティ機能を実施することなく、携帯電話機の本体からメモリカードの着脱が普通に行える構成としても良い。
【００５５】
以上に説明したように、本実施例２による携帯電話機では、生体識別情報読取り部１８から入力された生体識別情報と、携帯電話機内部の第２記憶手段１６に予め記憶されていた正当なユーザの生体識別情報とが一致しない限り、メモリカードを携帯電話機の本体から取り外す事が出来ないので、携帯電話機の正当なユーザ以外の第三者によるメモリカードの抜き取りを未然に防止することができる。
【実施例３】
【００５６】
次に、本発明の他の実施形態である実施例３について説明を行う。なお、本実施例３による携帯電話機は、前述した各実施例の携帯電話機とその基本的な構造を同一とするため、実施例１若しくは２の場合と同じ構成要素に関しては、図１、２と同一の符号を付することによってその説明を省略する。
【００５７】
先ず、本実施例３による携帯電話機３の構成を図５のブロック図に基づいて説明する。同図において、ゲート回路１９は、第１比較手段１２及び第２比較手段１７の各々の比較結果を表す比較結果信号が、取外し禁止手段１４に伝達される際のゲート制御を担うゲート回路である。なお、ゲート回路１９のゲート機能は、操作部１３からの指令信号によって決定される。
【００５８】
操作部１３からの指令信号は、主に二種類の指令信号であり、一つはゲート回路１９のゲート機能を図６ａに示すような論理積（アンド）ゲート回路１９ａ（以下、単に「ＡＮＤ回路」という）とする指令信号である。この場合、ゲート回路１９は、ＡＮＤ回路として働くため、第１比較手段１２及び第２比較手段１７の各々から出力される比較結果信号が、共に論理レベル「１」となったときに取外し禁止手段１４に取り外し禁止を解除する解除信号を伝達する。ここで、各比較手段は、その比較入力が不一致の場合に論理レベル「０」の信号を出力し、その比較入力が一致した場合に論理レベル「１」の信号を出力するものと仮定する。
【００５９】
一方、操作部１３からのもう一つの指令信号は、ゲート回路１９のゲート機能を図６ｂに示すような論理和（オア）ゲート回路１９ｂ（以下、単に「ＯＲ回路」という）とする指令信号である。この場合、ゲート回路１９は、ＯＲ回路として働くため、第１比較手段１２又は第２比較手段１７のどちらかの比較結果信号が論理レベル「１」のとき、即ち、どちらかの比較結果信号が比較入力の一致を示すものとなったときに、取外し禁止手段１４に取り外し禁止を解除する解除信号を伝達する。因みに、第１比較手段１２又は第２比較手段１７のどちらか比較結果信号を用いるかについては、ユーザが任意に設定・変更できるものとする。
【００６０】
なお、係る指令信号は、比較認証を行う毎にユーザが操作部１３から入力するようにしても良いし、或いは、予めユーザによって設定されて指令信号を操作部１３内のメモリレジスタに蓄えておき、比較認証が行われる毎に自動的に操作部１３からゲート回路１９に送信されるようにしても良い。
【００６１】
次に、本実施例３による携帯電話機３の動作について、図７のフローチャートに基づいて説明を行う。なお、同図に示されるフローチャートの動作処理では、ゲート回路１９の機能が上記のＡＮＤ回路として働くように設定されているものと想定する。すなわち、本実施例では、操作部１３から入力された暗証番号と、第１記憶手段１１に記憶されていた暗証番号とが一致し、かつ、生体識別情報読取り部１８から取り込んだ各種の生体識別情報と、第２記憶手段１６に記憶されているユーザ固有の各種の生体識別情報とが一致した場合にのみ、携帯電話機３に内蔵されたメモリカード１５の携帯電話機本体からの取り外しが許容されるのである。
【００６２】
携帯電話機３のユーザが携帯電話機の本体からメモリカード１５を取り外す場合、先ずユーザは、携帯電話機３の操作部１３から予め定めていた暗証番号を入力する。この暗証番号はユーザが任意に設定し得るものであり、予めユーザが操作部１３を操作して第１記憶手段のメモリ内に設定・記憶されたものと仮定する。因みに、このような暗証番号は、例えば、５桁から１０桁程度の数字及びアルファベットの組合せでも良いし、或いは、仮名文字等を含んだ文字列を含むようなものであっても良い。
【００６３】
操作部１３からユーザによる暗証番号入力が為されると、携帯電話機３のマイクロプロセッサは、図７のステップＳ７０１において入力された暗証番号を読み取り、これを第１比較手段１２に通知する。これと同時にマイクロプロセッサは、第１記憶手段に記憶されている所定の暗証番号を第１比較手段１２に転送する。
【００６４】
次のステップＳ７０２において、第１比較手段１２によって操作部１３から入力された暗証番号と予め記憶されていた暗証番号との比較が為され、その結果、両者が一致した場合（ステップＳ７０３の「ＹＥＳ」）はステップＳ７０４に移行する。一方、両者が一致しない場合（ステップＳ７０３の「ＮＯ」）はステップＳ７０８に移行する。
【００６５】
ステップＳ７０４に移行した場合、マイクロプロセッサは引き続き、生体識別情報読取り部１８から、携帯電話機３に備えられた各種のセンサーを介して、そのとき携帯電話機３を操作している人間の生体識別情報を読み取る。そして、次のステップＳ７０５に進み、これらの読み取った情報と、第２記憶手段１６に記憶されているユーザ固有の生体識別情報とを比較する。
【００６６】
この場合、比較検討する生体識別情報は、上述した手指の指紋、音声の声紋、眼球の虹彩の全てを用いても良いし、或いはその内の一つ或いは二つを任意に組み合わせて用いるようにしても良い。なお、本実施例３の事例は、あくまで本発明の一つの実施態様を示すものに過ぎず、かかる生体識別情報の比較検討処理において、上記以外の他の生体識別情報を用いることを排除するものではない。
【００６７】
ステップＳ７０５における比較処理の結果、生体識別情報読取り部１８から読み取った生体識別情報と、第２記憶手段１６に記憶されているユーザ固有の生体識別情報とが一致した場合（ステップＳ７０６の「ＹＥＳ」）はステップＳ７０７に移行する。一方、両者が一致しない場合（ステップＳ７０６の「ＮＯ」）はステップＳ７０８に移行する。
【００６８】
ステップＳ７０７に移行した場合、マイクロプロセッサは、メモリカード１５を拘持している取外し鎖錠機構１４ａの鎖錠機構を解除して、携帯電話機１の本体からメモリカード１５の取り外しが可能な状態とする。一方、ステップＳ７０３、或いはステップＳ７０６からステップＳ７０８に移行した場合、マイクロプロセッサは、メモリカード１５を拘持している取外し鎖錠機構１４ａの鎖錠機構をロックして、メモリカード１５の取り外しができない状態とする。
【００６９】
なお、取外し鎖錠機構１４ａの鎖錠機構を解除してメモリカード１５を電話機本体から取り外す際の動作や、或いは、取外し鎖錠機構１４ａの鎖錠機構をロックしてメモリカード１５の取り外しをガードする動作に関しては、前述の各実施例における説明と同様であるためその記載は省略する。また、本実施例３において、ゲート回路１９の機能がＯＲ回路に設定されている場合は、その処理動作は、前述した第１実施例或いは第２実施例の何れかの場合と同様になるのでその説明を省略する。なお、以上に説明したメモリカードのセキュリティ管理機構は、必要に応じてユーザが解除可能であり、かかるセキュリティ機能を実施することなく、携帯電話機の本体からメモリカードの着脱が普通に行える構成としても良い。
【００７０】
本実施例３による携帯電話機は、操作部１３から入力された暗証番号と、携帯電話機内部の第１記憶手段１１に予め設定されている暗証番号とが一致し、さらに、生体識別情報読取り部１８から読み取った生体識別情報と、第２記憶手段１６に記憶されているユーザ固有の生体識別情報とが一致しない限り、メモリカードを携帯電話機の本体から取り外す事が出来ない。したがって、携帯電話機のユーザが錯誤や過失によって、自分の暗証番号を第三者に知得されてしまった場合でも、かかる第三者は、携帯電話機の本体からメモリカードを取り外すことができず、メモリカード付き携帯電話機の安全性をさらに高めることができる。
【実施例４】
【００７１】
次に、本発明の他の実施形態である実施例４について説明を行う。なお、本実施例４による携帯電話機は、前述した各実施例による携帯電話機とその基本的な構造を同一とするため、各実施例の場合と同じ構成要素に関しては前述の各図における記載と同一の符号を付することによってその説明を省略する。
【００７２】
本実施例４による携帯電話機４の構成並びにその特徴を、図８に示すブロック図に基づいて説明する。同図からも明らかなように、本実施例４の携帯電話機４は、本実施例３の携帯電話機３の構成にカード破壊手段２０を加えたものであり、ゲート回路１９からのメモリカードの取り出し禁止を解除する解除信号が、取外し禁止手段１４と共にカード破壊手段２０にも供給されている。
【００７３】
カード破壊手段２０は、ゲート回路１９からの解除信号を受信していないにも関わらず、メモリカード１５が電話機本体から取り外されそうになった際に、メモリカード１５を電気的若しくは機械的に破壊する機能、或いはメモリカード１５に搭載されたプログラム若しくはデータをソフトウェア的に破壊する機能を有した部位である。
【００７４】
かかる機能を具体的に説明すれば、ゲート回路１９から解除信号が出力されていない状態で、例えば、取外し禁止手段１４のカバー等が外されると、これを検知したカード破壊手段２０が、メモリカード１５を構成する制御用のマイクロプロセッサ若しくは不揮発メモリに、その定格値以上の過電圧或いは過電流を供給して、これらの機能を電気的に破壊するものである。
【００７５】
また、カード破壊手段２０によるメモリカード破壊方法としては、ソフトウェア的手法によってこれを行うようにしても良い。例えば、メモリカード１５の不適正な取り外し挙動が検知された時点で、メモリカード１５に含まれる不揮発メモリに記録された制御プログラム若しくは記憶データのビット構成を、全てハイ（Ｈｉ）若しくはロウ（Ｌｏｗ）ビットに、或いは所定のランダム関数から導出されたでたらめなビットに書き換えてしまうようにしても良い。
【００７６】
これによって、メモリカード１５の内部に含まれるデータは、全て「１１１１１…」の形や、全て「０００００…」の形、或いは「１１０１０１００１…」等の全く無意味なフォーマットに変換される。すなわち、本実施例におけるソフトウェア的手法とは、このようなデータの消去や、データのリフォーマットを含めた概念であることは言うまでもない。
【００７７】
なお、携帯電話機４のバッテリーが取り出された後に、取外し禁止手段１４を分解してメモリカードの取り出しが為されることも十分に考えられるので、例えば、スーパーキャパシタなどの大容量で小型のコンデンサを携帯電話機４のバッテリーで常に充電しておき、カード破壊時におけるカード破壊手段２０に対する電力の供給は、かかる大容量コンデンサを介して行うことが好ましい。
【００７８】
また、ゲート回路１９からメモリカードの解除信号が出力されていない状況、或いはバッテリーが取り出された状況では、カード破壊手段２０からメモリカード１５の表面の微細パターンに爪状部材が圧接された状態になっており、この状態でメモリカード１５を抜き取ると微細パターンが当該爪状部材によって損傷されて、メモリカード１５の機能が機械的に破壊される構成としても良い。或いは、カード破壊手段２０の構成として、かかる機械的な破壊機能と、前述の電気的或いはソフトウェア的な破壊機能とを併せて用いるようにしても良い。
【００７９】
なお、以上の説明では、本実施例４の事例として実施例３の携帯電話機３にカード破壊手段２０を追加した構成を示したが、本実施例４の構成は、かかる事例に限定されるものではなく、前述の実施例１又は実施例２に示された各携帯電話機にカード破壊手段２０を追加した構成としても良いことはいうまでもない。
【００８０】
本実施例４による携帯電話機４では、害意の有る第三者が携帯電話機を分解してメモリカードを取り出そうとした際に、メモリカードの機能自体が破壊されてしまうため、たとえ、第三者が携帯電話機本体からメモリカードを取り出しても、それを利用することができず、また、メモリカードに記憶されていた個人情報を読み取ることもできない。
【実施例５】
【００８１】
次に、本発明の他の実施形態である実施例５について説明を行う。なお、本実施例５による携帯電話機は、前述した各実施例による携帯電話機とその基本的な構造を同一とするため、実施例１〜４の場合と同じ構成要素に関しては前述の各図における記載と同一の符号を付することによってその説明を省略する。
【００８２】
先ず、本実施例５による携帯電話機５の構成並びにその特徴を、図９のブロック図に基づいて説明する。同図に示すように、本実施例５による携帯電話機５は、本実施例４の携帯電話機４の構成に、メモリカードの着脱履歴記録手段２１を加えたものである。
【００８３】
着脱履歴記録手段２１は、電話機本体からメモリカード１５の着脱が行われる毎に、その回数と着脱日時を不揮発性のメモリに記録する機能を有する部位である。着脱履歴記録手段２１に記録されたメモリカード１５の着脱の履歴は、例えば、携帯電話機５に備えられた表示部のディスプレイパネル（図示せず）などを用い、必要に応じて容易にモニターすることができる構成とすることが好ましい。
【００８４】
なお、以上の説明では、本実施例５の事例として、実施例４の携帯電話機４に着脱履歴記録手段２１を追加した構成を示したが、本実施例５の構成は、かかる事例に限定されるものではなく、前述の各実施例に示された携帯電話機に着脱履歴記録手段２１を追加する構成としても良い。
【００８５】
本実施例５による携帯電話機５では、携帯電話機の本体からメモリカードの着脱を行う毎にその履歴が正確に記録されるため、携帯電話機のユーザは、常にメモリカードの着脱の履歴を把握することができる。これによって、携帯電話機のユーザは、メモリカードのセキュリティ管理をより確実に行うことが可能となる。
【００８６】
なお、本発明は以上に説明した各実施形態に限定されるものではなく、例えば、本発明を構成する各部位の形状や配置、或いはその素材等は、本発明の趣旨を逸脱することなく、現実の実施対応に即して適宜変更ができるものであることは言うまでもない。
【産業上の利用可能性】
【００８７】
以上に説明した本発明の構成は、ＵＩＭやＵＳＩＭ等のメモリカード、並びにそれ以外のメモリカードを着脱自在に備えた携帯電話機、ＰＨＳ端末、携帯端末機器、及び携帯が可能な各種のデータ端末機器等においてその利用が可能である。
【図面の簡単な説明】
【００８８】
【図１】本発明の実施例１による携帯電話機の構成を示すブロック図である。
【図２】本発明の実施例１による携帯電話機の動作を説明するフローチャートである。
【図３】本発明の実施例２による携帯電話機の構成を示すブロック図である。
【図４】本発明の実施例２による携帯電話機の動作を説明するフローチャートである。
【図５】本発明の実施例３による携帯電話機の構成を示すブロック図である。
【図６】本発明の実施例３の携帯電話機におけるゲート回路の構成を示すブロック図である。
【図７】本発明の実施例３による携帯電話機の動作を説明するフローチャートである。
【図８】本発明の実施例４による携帯電話機の構成を示すブロック図である。
【図９】本発明の実施例５による携帯電話機の構成を示すブロック図である。
【符号の説明】
【００８９】
１〜４    …  携帯電話機
１１      …  第１記憶手段
１２      …  第１比較手段
１３      …  操作部
１４      …  取外し禁止手段
１４ａ    …  取外し鎖錠機構
１５      …  メモリカード
１６      …  第２記憶手段
１７      …  第２比較手段
１８      …  生体識別情報読取り部
１９      …  ゲート回路
１９ａ    …  論理積（アンド）ゲート回路
１９ｂ    …  論理和（オア）ゲート回路
２０      …  メモリカード破壊手段
２１      …  着脱履歴記録手段
【図１】
2008312070.tif 000003
【図２】
2008312070.tif 000004
【図３】
2008312070.tif 000005
【図４】
2008312070.tif 000006
【図５】
2008312070.tif 000007
【図６】
2008312070.tif 000008
【図７】
2008312070.tif 000009
【図８】
2008312070.tif 000010
【図９】
2008312070.tif 000011